【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
画像データに基づき画像を再生する再生装置の再生画像を撮像する撮像手段と、
この撮像手段により撮像された前記画像に基づき、前記再生装置の再生特性に関連する要素の状態を検出する検出手段と、
前記撮像手段により撮像された画像を表示する表示手段と、
前記検出手段により検出された前記再生特性に関連する要素の状態に基づき、前記表示手段の表示特性を制御する制御手段と、
を備えることを特徴とする撮像装置。
【請求項２】
前記画像データを前記再生装置に出力する出力手段と、
第１のモードと第２のモードとを選択する選択手段とを更に備え、
この選択手段により、前記第１のモードが選択された場合には、前記制御手段は、検出手段により検出された前記再生特性に関連する要素の状態に基づき、前記再生装置に出力する画像データの特性を制御し、前記出力手段は、この制御手段により特性が制御された前記画像データを前記再生装置に出力し、
前記第２のモードが選択された場合には。前記制御手段は、前記検出手段により検出された前記再生特性に関連する要素の状態に基づき、前記表示手段の表示特性を制御することを特徴とする請求項１記載の撮像装置。
【請求項３】
前記再生装置に、特性調整用の画像データを出力する調整画像出力手段を更に備え、
前記撮像手段は、前記再生装置が前記画像データに基づき特性調整用の画像を再生した状態において、前記再生画像を撮像することを特徴とする請求項１又は２記載の撮像装置。
【請求項４】
前記撮像手段は、異方向から撮像した画像を略正面方向からの画像に補正する補正手段を備えることを特徴とする請求項１から３にいずれか記載の撮像装置。
【請求項５】
前記制御手段は、輝度、階調特性、色温度又は色バランスの少なくとも一つを制御することを特徴とする請求項１から４にいずれか記載の撮像装置。
【請求項６】
前記再生装置は、前記画像データに基づき画像を表示する表示手段を備える画像表示装置、又は前記画像データに基づき画像を印刷するプリンターであり、
前記撮像手段は、前記表示手段に表示される画像又は前記プリンターにより印刷された画像を撮像することを特徴とする請求項１から５にいずれか記載の撮像装置。
【請求項７】
画像データに基づき画像を再生する再生装置の再生画像を撮像し、
この撮像した画像に基づき、前記再生装置の再生特性に関連する要素の状態を検出し、
この検出手段により検出した前記再生特性に関連する要素の状態に基づき、前記撮像手段により撮像される画像を表示する表示手段の表示特性を制御することを特徴とする画像再生方法。
【手続補正２】
【補正対象書類名】明細書
【補正対象項目名】０００６
【補正方法】変更
【補正の内容】
【０００６】
前記課題を解決するため請求項１に係る撮像装置にあっては、画像データに基づき画像を再生する再生装置の再生画像を撮像する撮像手段と、この撮像手段により撮像された前記画像に基づき、前記再生装置の再生特性に関連する要素の状態を検出する検出手段と、前記撮像手段により撮像された画像を表示する表示手段と、前記検出手段により検出された前記再生特性に関連する要素の状態に基づき、前記表示手段の表示特性を制御する制御手段とを備える。
【手続補正３】
【補正対象書類名】明細書
【補正対象項目名】０００７
【補正方法】変更
【補正の内容】
【０００７】
前記再生装置は、工場出荷時等において再生特性が適正に調整されているが、経年変化に伴って再生特性は変化する。したがって、撮像手段により、再生特性が変化した再生装置の再生画像を撮像し、この撮像した画像に基づき、撮像装置が有する表示手段の表示特性を制御すれば、当該撮像装置の表示手段には、経年変化した再生装置で再生した場合と撮像時と略同じような特性で画像が表示される。したがって、この表示された画像の特性と略同様の特性の画像が撮像手段により撮像されて、再生装置により再生されることにより、撮像時に撮像装置の表示手段で視認した画像の特性と、撮像後に再生装置で再生した画像の特性とが略一致する。その結果、再生装置の経年変化に左右されることなく、撮像時撮像時にユーザが表示手段で視認した撮像時と略同じような特性で画像を再生することができる。
【手続補正４】
【補正対象書類名】明細書
【補正対象項目名】０００８
【補正方法】変更
【補正の内容】
【０００８】
また、請求項２に係る撮像装置にあっては、前記画像データを前記再生装置に出力する出力手段と、第１のモードと第２のモードとを選択する選択手段とを更に備え、この選択手段により、前記第１のモードが選択された場合には、前記制御手段は、検出手段により検出された前記再生特性に関連する要素の状態に基づき、前記再生装置に出力する画像データの特性を制御し、前記出力手段は、この制御手段により特性が制御された前記画像データを前記再生装置に出力し、前記第２のモードが選択された場合には。前記制御手段は、前記検出手段により検出された前記再生特性に関連する要素の状態に基づき、前記表示手段の表示特性を制御する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項３に係る撮像装置にあっては、前記再生装置に、特性調整用の画像データを出力する調整画像出力手段を更に備え、前記撮像手段は、前記再生装置が前記画像データに基づき特性調整用の画像を再生した状態において、前記再生画像を撮像する。したがって、この特性調整用の画像が再生されて撮像され、これに基づき再生特性に関連する要素の状態が検出されることにより、再生特性に関連する要素の状態変化を精度よく検出することができる。
【手続補正８】
【補正対象書類名】明細書
【補正対象項目名】００１３
【補正方法】変更
【補正の内容】
【００１３】
また、請求項４に係る撮像装置にあっては、前記撮像手段は、異方向から撮像した画像を略正面方向からの画像に補正する補正手段を備える。したがって、ユーザがこの撮像装置を使用して、再生装置の再生画像を撮像した際、異方向から撮像を行っても、再生装置の再生特性に関連する要素の状態を適正に検出することのできる略正面方向からの画像を得ることができる。
【手続補正９】
【補正対象書類名】明細書
【補正対象項目名】００１４
【補正方法】変更
【補正の内容】
【００１４】
また、請求項５に係る撮像装置にあっては、前記制御手段は、輝度、階調特性、色温度又は色バランスの少なくとも一つを制御する。したがって、この制御手段が、再生装置に出力する画像データの特性を制御するものである場合には、経年変化等により再生装置における再生画像の輝度、階調特性、色温度又は色バランス等が変化しても、これに左右されることなく、撮像時と略同じような特性で画像を再生することができる。また、制御手段が、撮像装置が有する表示手段の表示特性を制御するものである場合には、撮像時に撮像装置の表示手段で視認した画像の輝度、階調特性、色温度又は色バランスと、撮像後に再生装置で再生した画像の輝度、階調特性、色温度又は色バランスとが略一致する。その結果、再生装置の経年変化に左右されることなく、撮像時撮像時にユーザが表示手段で視認した撮像時と略同じような特性で画像を再生することができる。
【手続補正１０】
【補正対象書類名】明細書
【補正対象項目名】００１５
【補正方法】変更
【補正の内容】
【００１５】
また、請求項６に係る撮像装置にあっては、前記再生装置は、前記画像データに基づき画像を表示する表示手段を備える画像表示装置、又は前記画像データに基づき画像を印刷するプリンターであり、前記撮像手段は、前記表示手段に表示される画像又は前記プリンターにより印刷された画像を撮像する。したがって、この制御手段が、画像表示装置又はプリンターに出力する画像データの特性を制御するものである場合には、画像表示装置の画像表示特性やプリンターの画像印刷特性が経年変化しても、これに左右されることなく、撮像時と略同じような特性で画像を再生することができる。また、制御手段が、撮像装置が有する表示手段の表示特性を制御するものである場合には、撮像時に撮像装置の表示手段で視認した画像と、撮像後に画像表示装置又はプリンターで再生した画像の輝度、階調特性、色温度又は色バランスとが略一致する。その結果、画像表示装置又はプリンターの経年変化に左右されることなく、撮像時撮像時にユーザが表示手段で視認した撮像時と略同じような特性で画像を再生することができる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
また、請求項７に係る撮像装置にあっては、画像データに基づき画像を再生する再生装置の再生画像を撮像し、この撮像した画像に基づき、前記再生装置の再生特性に関連する要素の状態を検出し、この検出手段により検出した前記再生特性に関連する要素の状態に基づき、前記撮像手段により撮像される画像を表示する表示手段の表示特性を制御する。したがって、記載した手順で各動作を行うことにより、請求項３に係る発明と同様の作用効果を奏する。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
以上説明したように、請求項１及び請求項７に係る発明によれば、撮像手段により、再生特性が変化した再生装置の再生画像を撮像し、この撮像した画像に基づき、撮像装置が有する表示手段の表示特性を制御することにより、当該撮像装置の表示手段に、経年変化した再生装置で再生した場合と撮像時と略同じような特性で画を表示することができる。したがって、撮像時に撮像装置の表示手段で視認した画像の特性と、撮像後に再生装置で再生した画像の特性とが略一致する。その結果、再生装置の経年変化に左右されることなく、撮像時撮像時にユーザが表示手段で視認した撮像時と略同じような特性で画像を再生することができる。